(57)【要約】【課題】後処理を含む印刷処理を効率よく実行させることのできる画像表示装置を提供すること。【解決手段】印刷データ取得部と、後処理を特定する後処理特定部と、印刷データを用いて印刷され、かつ、特定された後処理が施されたとした場合の用紙を示す画像を表示する画像表示部と、用紙における印刷領域であって、印刷データを用いて印刷される部分によって形成される当該用紙の紙面の一部の領域である印刷領域と、用紙における処理対応領域であって、特定された後処理に対応する処理対応領域とに重複が生じるか否かを判断する判断部と、判断部により重複が生じると判断された場合に、重複が生じる旨を示す情報である警告を報知する報知部とを備え、報知部は、印刷領域と処理対応領域との位置関係に応じて、互いに内容の異なる複数の警告のうちのいずれかの警告を報知する画像表示装置。【選択図】図４
2013057830.tif 000002
【特許請求の範囲】
【請求項１】
印刷データを取得する印刷データ取得部と、
前記印刷データを用いて印刷された用紙に施されることが可能な複数種類の後処理の中から選択された後処理を特定する後処理特定部と、
前記印刷データを用いて印刷され、かつ、特定された後処理が施されたとした場合の用紙を示す画像を表示する画像表示部と、
前記用紙における印刷領域であって、前記印刷データを用いて印刷される部分によって形成される前記用紙の紙面の一部の領域である印刷領域と、前記用紙における処理対応領域であって、前記特定された後処理に対応する処理対応領域とに重複が生じるか否かを判断する判断部と、
前記判断部により前記重複が生じると判断された場合に、前記重複が生じる旨を示す情報である警告を報知する報知部とを備え、
前記報知部は、前記印刷領域と前記処理対応領域との位置関係に応じて、互いに内容の異なる複数の警告のうちのいずれかの警告を報知する
画像表示装置。
【請求項２】
前記報知部は、前記印刷領域と前記処理対応領域との位置関係および前記特定された後処理の種類に応じて、互いに内容の異なる複数の警告のうちのいずれかの警告を報知する
請求項１記載の画像表示装置。
【請求項３】
前記処理対応領域は、前記後処理が施される部分と当該部分の近傍の領域である処理領域と、前記処理領域の周辺の周辺領域とで構成されており、
前記判断部はさらに、前記印刷領域と前記処理領域および前記周辺領域のどちらとの間に前記重複が生じるかを判断し、
前記報知部は、前記判断部による前記位置関係を示す判断結果であって、前記印刷領域と前記処理領域および前記周辺領域のどちらとの間に前記重複が生じるかを示す判断結果に応じて、前記互いに内容の異なる複数の警告のうちのいずれかの警告を報知する
請求項１または２記載の画像表示装置。
【請求項４】
前記判断部は、前記印刷領域と前記周辺領域との間に前記重複が生じると判断した場合、さらに、前記用紙における前記印刷領域に対応する印刷面が、前記用紙が含まれる予定の冊子における表表紙または裏表紙となるか否かを判断し、
前記報知部は、前記印刷面が前記表表紙または前記裏表紙となると判断された場合、前記いずれかの警告であって、前記印刷面が前記表表紙または前記裏表紙となると判断されなかった場合の警告とは異なる内容の警告を報知する
請求項３記載の画像表示装置。
【請求項５】
さらに、前記複数種類の後処理のそれぞれと、警告の内容を示す情報とが対応付けられたテーブルを記憶するテーブル記憶部を備え、
前記報知部は、前記テーブル記憶部に記憶されている前記テーブルを参照することで、前記特定された後処理に対応する警告を特定し、特定した警告を報知する
請求項１〜４のいずれか１項に記載の画像表示装置。
【請求項６】
さらに、前記印刷データを用いて前記用紙に印刷する画像形成装置と通信する通信部を備え、
前記通信部は、前記印刷データ取得部に取得された前記印刷データを前記画像形成装置に送信する
請求項１〜５のいずれか１項に記載の画像表示装置。
【請求項７】
さらに、前記印刷データをラスタライズすることによって、前記画像形成装置が前記印刷データを用いて生成するラスタライズデータと同等のラスタライズデータを生成するラスタライズ処理部を備える
請求項６記載の画像表示装置。
【請求項８】
さらに、前記印刷データを用いた印刷の実行の指示、前記印刷の中止の指示、および、前記後処理特定部に特定させる後処理の指示のうちの少なくとも一つの指示を受け付ける受付部を備える
請求項１〜７のいずれか１項に記載の画像表示装置。
【請求項９】
さらに、前記印刷データを用いて前記用紙に印刷する印刷部を備える
請求項１〜８のいずれか１項に記載の画像表示装置。
【発明の詳細な説明】
【技術分野】
【０００１】
本発明は、印刷データを用いて生成される、印刷後の紙面イメージであるプレビュー画像を表示する画像表示装置に関する。
【背景技術】
【０００２】
近年、省スペース化を指向して、プリンタ機能、スキャナ機能、ファクシミリ通信機能、およびネットワーク通信機能などを一台で兼ね備えた画像処理装置であるネットワーク複合機（以下、単に「複合機」という。）の普及が進んでいる。
【０００３】
このような複合機は、例えば、Ｌｏｃａｌ  Ａｒｅａ  Ｎｅｔｗｏｒｋ（ＬＡＮ）を介して接続されたパーソナルコンピュータ（以下、「ＰＣ」という。）等の端末装置から印刷データを受信する。当該複合機は、印刷データに示される文字および図形等を印刷用の紙（以下、「用紙」という。）に印刷し出力することができる。
【０００４】
また、このような印刷が複合機で実行される前に、端末装置または複合機において、印刷後の紙面イメージであるプレビュー画像を表示することが一般に行われている。
【０００５】
さらに、複合機には、パンチ孔の形成等の後処理を行う「フィニッシャー」と呼ばれる装置が備えられる場合ある。この場合、端末装置または複合機において、印刷と後処理とが施されたとした場合のプレビュー画像を表示することも行われている。
【０００６】
ここで、文字等が印刷される位置は、パンチ孔等が用紙におけるどの位置に形成されるかに関らず設定され得るため、例えば、印刷された文字がパンチ孔によって欠落する状況も発生する。
【０００７】
そこで、パンチ孔等が存在する領域と文字等が印刷される領域とが重複する場合、その旨をユーザに警告する技術も開示されている（例えば、特許文献１参照）。
【先行技術文献】
【特許文献】
【０００８】
【特許文献１】特開平１１−２６３５１９号公報
【発明の概要】
【発明が解決しようとする課題】
【０００９】
しかしながら、上記従来の技術によれば、後処理が施される領域と印刷領域とが重複する場合であって、かつ、当該後処理が印刷内容に与える影響が比較的に小さい場合など、そのまま後処理まで実行しても実質的な問題が生じない場合であっても警告が発せられる。
【００１０】
その結果、当該警告を受けたユーザの指示により、端末装置または複合機において、印刷の設定のやり直し、または、印刷の中止など、本来的には不要な処理が実行される可能性がある。
【００１１】
本発明は、上記従来の課題を考慮し、印刷と後処理とを含む印刷処理が施されたとした場合の用紙を示す画像を表示する画像表示装置であって、当該印刷処理を効率よく実行させることのできる画像表示装置を提供することを目的とする。
【課題を解決するための手段】
【００１２】
上記目的を達成するために、本発明の一態様に係る画像表示装置は、印刷データを取得する印刷データ取得部と、前記印刷データを用いて印刷された用紙に施されることが可能な複数種類の後処理の中から選択された後処理を特定する後処理特定部と、前記印刷データを用いて印刷され、かつ、特定された後処理が施されたとした場合の用紙を示す画像を表示する画像表示部と、前記用紙における印刷領域であって、前記印刷データを用いて印刷される部分によって形成される前記用紙の紙面の一部の領域である印刷領域と、前記用紙における処理対応領域であって、前記特定された後処理に対応する処理対応領域とに重複が生じるか否かを判断する判断部と、前記判断部により前記重複が生じると判断された場合に、前記重複が生じる旨を示す情報である警告を報知する報知部とを備え、前記報知部は、前記印刷領域と前記処理対応領域との位置関係に応じて、互いに内容の異なる複数の警告のうちのいずれかの警告を報知する。
【００１３】
この構成により、印刷領域と処理対応領域とが重複する場合、適切な内容の警告が報知される。例えば、後処理が印刷内容の判読性に与える影響の大きさに応じた適切な内容の警告が報知される。
【００１４】
このように、本態様の画像表示装置によれば、印刷領域と処理対応領域との位置関係に応じて、適切な警告が選択的に報知される。その結果、例えば、本来的にはそのまま印刷処理を実行しても問題がない場合に、印刷の設定がやり直されるなどの非効率的な処理の発生が抑制される。
【００１５】
従って、本態様の画像表示装置は、印刷と後処理とを含む印刷処理を効率よく実行させることができる。
【００１６】
また、本発明の一態様に係る画像表示装置において、前記報知部は、前記印刷領域と前記処理対応領域との位置関係および前記特定された後処理の種類に応じて、互いに内容の異なる複数の警告のうちのいずれかの警告を報知するとしてもよい。
【００１７】
この構成により、例えば、印刷領域と処理対応領域とが重複する場合に、後処理の種類が何であるかに応じた適切な内容の警告が報知される。
【００１８】
また、本発明の一態様に係る画像表示装置において、前記処理対応領域は、前記後処理が施される部分と当該部分の近傍の領域である処理領域と、前記処理領域の周辺の周辺領域とで構成されており、前記判断部はさらに、前記印刷領域と前記処理領域および前記周辺領域のどちらとの間に前記重複が生じるかを判断し、前記報知部は、前記判断部による前記位置関係を示す判断結果であって、前記印刷領域と前記処理領域および前記周辺領域のどちらとの間に前記重複が生じるかを示す判断結果に応じて、前記互いに内容の異なる複数の警告のうちのいずれかの警告を報知するとしてもよい。
【００１９】
この構成により、印刷領域と処理対応領域との間に重複が生じる場合、当該重複が、後処理による影響が大きな領域である処理領域に存在するか否かに応じて、適切な警告を報知することができる。
【００２０】
その結果、例えば、印刷された文字が判読不可能な場合と判読可能な場合とで、互いに異なる内容の警告が報知される。
【００２１】
また、本発明の一態様に係る画像表示装置において、前記判断部は、前記印刷領域と前記周辺領域との間に前記重複が生じると判断した場合、さらに、前記用紙における前記印刷領域に対応するである印刷面が、前記用紙が含まれる予定の冊子における表表紙または裏表紙となるか否かを判断し、前記報知部は、前記印刷面が前記表表紙または前記裏表紙となると判断された場合、前記いずれかの警告であって、前記印刷面が前記表表紙または前記裏表紙となると判断されなかった場合の警告とは異なる内容の警告を報知するとしてもよい。
【００２２】
この構成により、印刷領域と処理対応領域との間に重複が生じる場合、当該印刷面が表紙（表表紙または裏表紙、以下同じ）であるか否かに応じて、適切な警告を報知することができる。
【００２３】
その結果、例えば、後処理（例えばパンチ孔の形成）がなされた位置の近傍に印刷領域が存在する場合であっても、当該印刷面が表紙であれば、例えば「印刷領域と処理対応領域との間に重複が生じるが、印刷内容の判読性には実質的に問題はない」旨の警告を報知することができる。
【００２４】
また、本発明の一態様に係る画像表示装置は、さらに、前記複数種類の後処理のそれぞれと、警告の内容を示す情報とが対応付けられたテーブルを記憶するテーブル記憶部を備え、前記報知部は、前記テーブル記憶部に記憶されている前記テーブルを参照することで、前記特定された後処理に対応する警告を特定し、特定した警告を報知するとしてもよい。
【００２５】
この構成により、例えば、報知部は、報知すべき警告を容易な処理で特定することができる。
【００２６】
また、本発明の一態様に係る画像表示装置は、さらに、前記印刷データを用いて前記用紙に印刷する画像形成装置と通信する通信部を備え、前記通信部は、前記印刷データ取得部に取得された前記印刷データを前記画像形成装置に送信するとしてもよい。
【００２７】
この構成により、本態様の画像表示装置を、例えば、画像形成装置の一例である複合機と通信する端末装置として実現することができる。
【００２８】
また、本発明の一態様に係る画像表示装置は、さらに、前記印刷データをラスタライズすることによって、前記画像形成装置が前記印刷データを用いて生成するラスタライズデータと同等のラスタライズデータを生成するラスタライズ処理部を備えるとしてもよい。
【００２９】
この構成により、本態様の画像表示装置は、画像形成装置が有するラスタライズ機能に頼ることなく、画像形成装置が生成するプレビュー画像と同一（略同一も含む）のプレビュー画像を生成することができる。
【００３０】
また、本発明の一態様に係る画像表示装置は、さらに、前記印刷データを用いた印刷の実行の指示、前記印刷の中止の指示、および、前記後処理特定部に特定させる後処理の指示のうちの少なくとも一つの指示を受け付ける受付部を備えるとしてもよい。
【００３１】
この構成によれば、例えば、報知された警告を確認したユーザによるその後の処理（印刷の実行等）についての指示が、効率よく取得される。
【００３２】
また、本発明の一態様に係る画像表示装置は、さらに、前記印刷データを用いて前記用紙に印刷する印刷部を備えるとしてもよい。
【００３３】
この構成により、本態様の画像表示装置を、例えば、画像形成装置の一例である複合機として実現することができる。
【発明の効果】
【００３４】
以上の説明から明らかなように、本発明は、印刷と後処理とを含む印刷処理が施されたとした場合の用紙を示す画像を表示する画像表示装置であって、当該印刷処理を効率よく実行させることのできる画像表示装置を提供することができる。
【図面の簡単な説明】
【００３５】
【図１】図１は、本発明の実施の形態における複合機および端末装置を含む通信システムの構成の一例を示す図である。
【図２】図２は、実施の形態における複合機の主要なハードウェア構成を示すブロック図である。
【図３】図３は、実施の形態における端末装置と複合機と間の情報の流れを説明するための基本的な構成を示す図である。
【図４】図４は、実施の形態における端末装置の機能的な構成を示す機能ブロック図である。
【図５】図５は、テーブル記憶部に記憶されている判定テーブルのデータ構成例を示す図である。
【図６Ａ】図６Ａは、処理対応領域における処理領域および周辺領域の第一の例を示す図である。
【図６Ｂ】図６Ｂは、処理対応領域における処理領域および周辺領域の第二の例を示す図である。
【図７】図７は、図５に示す判定テーブルに示される各レベルに応じた判読可能性および警告例を示す図である。
【図８】図８は、実施の形態における端末装置による警告の報知に係る処理の流れの一例を示すフロー図である。
【図９】図９は、本実施の形態における警告の報知に係る機能を備える複合機の機能的な構成を示す機能ブロック図である。
【発明を実施するための形態】
【００３６】
以下に、本発明の実施の形態について、図面を参照しながら説明する。
【００３７】
図１は、本発明の実施の形態における複合機および端末装置を含む通信システムの構成の一例を示す図である。
【００３８】
図１に示す通信システムは、複合機１および複合機２と、端末装置１００および端末装置２００と、Ｐｕｂｌｉｃ  Ｓｗｉｔｃｈｅｄ  Ｔｅｌｅｐｈｏｎｅ  Ｎｅｔｗｏｒｋｓ（ＰＳＴＮ：公衆電話交換回線網）５と、Ｌｏｃａｌ  Ａｒｅａ  Ｎｅｔｗｏｒｋ（ＬＡＮ）６とを含む。
【００３９】
端末装置１００は、画像表示装置の一例であり、印刷データを複合機１に送信することで、当該印刷データに示される文字または図形等を複合機１に印刷させることができる。
【００４０】
また、端末装置１００は、印刷が実行される前に、当該印刷データを用いて印刷され、かつ、後処理が施されたとした場合の用紙を示す画像（プレビュー画像）を表示することができる。
【００４１】
端末装置１００の構成については、図３および図４を用いて後述する。
【００４２】
複合機１は画像形成装置の一例であり、ＰＳＴＮ５を介して複合機２と接続され、またＬＡＮ６を介して端末装置１００および端末装置２００と接続される。
【００４３】
複合機１は、スキャナで読み取った原稿を、例えば、ＰＳＴＮ５を介して複合機２へファクシミリ送信すること、および、ＬＡＮ６を介して端末装置１００および端末装置２００へ送信することができる。また、複合機１は、スキャナで読み取った原稿を内蔵されるプリンタでプリントアウトすることができる。
【００４４】
また、本実施の形態では、複合機１には、パンチ孔の形成等の後処理を行うフィニッシャー５０が取り付けられている。フィニッシャー５０は、複合機１から出力された印刷後の用紙に対し、各種の後処理を行うことができる。また、どの種類の後処理を行うかについては、例えば、端末装置１００を介してユーザから指示される。
【００４５】
なお、フィニッシャー５０は、複合機１に対する外付けの装置でなくてもよい。例えば、複合機１がフィニッシャー５０を内包していてもよい。
【００４６】
図２は、実施の形態における複合機１の主要なハードウェア構成を示すブロック図である。
【００４７】
複合機１は、図２に示すようにＣｅｎｔｒａｌ  Ｐｒｏｃｅｓｓｉｎｇ  Ｕｎｉｔ（ＣＰＵ）１０と、Ｒｅａｄ  Ｏｎｌｙ  Ｍｅｍｏｒｙ（ＲＯＭ）１１と、Ｒａｎｄｏｍ  Ａｃｃｅｓｓ  Ｍｅｍｏｒｙ（ＲＡＭ）１２と、モデム１３と、Ｎｅｔｗｏｒｋ  Ｃｏｎｔｒｏｌ  Ｕｎｉｔ（ＮＣＵ）１４と、操作パネル１５と、ディスプレイ１６と、スキャナ１７と、プリンタ１８と、ＬＡＮ  インタフェース（ＬＡＮ  Ｉ／Ｆ）１９とを備える。
【００４８】
ＣＰＵ１０は、ＲＯＭ１１に格納された制御プログラム２１を実行することにより、複合機１の各種の動作を制御する。
【００４９】
ＲＯＭ１１は、ＣＰＵ１０が実行する制御プログラム２１を保持する読み出し専用メモリである。
【００５０】
ＲＡＭ１２は、ＣＰＵ１０が制御プログラム２１を実行する際に用いられるワークデータ、およびスキャナ１７から得られた原稿データ等を保持する読み書き可能なメモリである。また、ＲＡＭ１２には、端末装置１００から受信した印刷データも格納される。
【００５１】
モデム１３は、ＲＡＭ１２に保持された原稿データ等をファクシミリ信号に変調して送信し、また外部から受信されたファクシミリ信号をラインデータに復調する。モデム１３は、例えばＧ３規格に準拠したファックスモデムである。
【００５２】
ＮＣＵ１４は、モデム１３とＰＳＴＮ５との接続を制御する網制御装置である。
【００５３】
操作パネル１５は、ユーザからの操作を受け付けるパネルである。
【００５４】
ディスプレイ１６は、ユーザへの操作ガイド、および複合機１の動作状態を表示する表示装置である。ディスプレイ１６は、例えばＬｉｑｕｉｄ  Ｃｒｙｓｔａｌ  Ｄｉｓｐｌａｙ（ＬＣＤ：液晶表示装置）である。
【００５５】
また、ディスプレイ１６は、スキャナ１７によって読み取られた原稿データを用いて生成されたプレビュー画像、および、端末装置１００から受信した印刷データを用いて生成されたプレビュー画像を表示することもできる。
【００５６】
なお、ディスプレイ１６として、画面に表示された画像等を押すことで、複合機１を操作することのできるタッチパネルが採用された場合、ディスプレイ１６が、操作パネル１５の全部または一部の機能を兼ねることができる。
【００５７】
スキャナ１７は、画像読み取り装置であり、ＣＰＵ１０の制御下で、Ｃｈａｒｇｅ  Ｃｏｕｐｌｅｄ  Ｄｅｖｉｃｅ  Ｉｍａｇｅ  Ｓｅｎｓｏｒ（ＣＣＤ）を用いて原稿を光学的に読み取ることによって原稿データを生成する。
【００５８】
プリンタ１８は、印刷装置であり、ＣＰＵ１０の制御下で、例えばＲＡＭ１２に保持された印刷データに示される文字または図形を用紙に印刷し出力する。
【００５９】
ＬＡＮ  Ｉ／Ｆ１９は、複合機１とＬＡＮ６とを接続する通信アダプタであり、ＣＰＵ１０の制御下で、例えばＲＡＭ１２に保持された画像データを端末装置１００等へ送信する。
【００６０】
Ｈａｒｄ  ｄｉｓｋ  ｄｒｉｖｅ（ＨＤＤ）２０は、スキャナ１７により生成された原稿データ等を蓄積する記憶装置である。なお、ＨＤＤ２０に代えて、フラッシュメモリ等の半導体記憶装置が用いられてもよい。
【００６１】
以上のように構成された複合機１と、端末装置１００との間の情報の流れについて、図３を用いて説明する。
【００６２】
図３は、実施の形態における端末装置１００と複合機１と間の情報の流れを説明するための基本的な構成を示す図である。
【００６３】
端末装置１００は、基本的な構成として、アプリケーションソフトウェア１０１と、プリンタドライバ１０２と、スプーラ１０７と、ポート１０８と、表示装置１０６とを備える。プリンタドライバ１０２は、Ｒａｓｔｅｒ  Ｉｍａｇｅ  Ｐｒｏｃｅｓｓｏｒ（ＲＩＰ）１０３と、プロパティ設定Ｕｓｅｒ  Ｉ／Ｆ１０４と、ドライバコア１０５とを有する。
【００６４】
端末装置１００において、例えば、アプリケーションソフトウェア１０１により生成された、文字または図形等の情報を含む印刷データは、プリンタドライバ１０２に渡される。
【００６５】
プロパティ設定Ｕｓｅｒ  Ｉ／Ｆ１０４は、表示装置１０６に表示された設定画面を介して、用紙のサイズの設定等のプロパティの設定を受け付ける。
【００６６】
また、プロパティ設定Ｕｓｅｒ  Ｉ／Ｆ１０４は、ユーザからの、後処理の選択も受け付けることができる。
【００６７】
ユーザは、例えば、設定画面に示される、印刷後の用紙に施されることが可能な複数種類の後処理の中から、所望の後処理を選択することができる。
【００６８】
また、どの種類の後処理が選択されたかを示す後処理情報は、例えば複合機１を介してフィニッシャー５０（図１参照）に伝達される。
【００６９】
ＲＩＰ１０３は、印刷データと後処理情報とを用いて、当該印刷データと当該後処理情報とに対応したプレビュー画像を生成する。生成されたプレビュー画像は表示装置１０６に表示される。
【００７０】
また、印刷データは、ドライバコア１０５から、例えば、Ｐａｇｅ  Ｄｅｓｃｒｉｐｔｉｏｎ  Ｌａｎｇｕａｇｅ（ＰＤＬ）により記述されたデータとして、一旦、スプーラ１０７に蓄積された後に、ポート１０８を介して複合機１に送信される。
【００７１】
複合機１は、ポート２２と、プリンタコントローラ２３とを備え、プリンタコントローラ２３は、ＲＩＰ２４を有する。
【００７２】
なお、ポート２２は、例えばＬＡＮ  Ｉ／Ｆ１９に備えられている。また、プリンタコントローラ２３の機能は、例えば、ＲＯＭ１１に格納されたソフトウェアとＣＰＵ１０とによって実現される（図２参照）。
【００７３】
複合機１では、ポート２２が受信した印刷データをプリンタコントローラ２３が処理する。具体的には、ＲＩＰ２４によって、当該印刷データに基づくラスタライズデータが生成され、生成されたラスタライズデータを用いた印刷がプリンタ１８（図２参照）によって実行される。
【００７４】
また、上述のように、フィニッシャー５０によって、複数種類の後処理の中から選択された後処理が、印刷後の用紙に施される。これにより、当該印刷データに示される文字または図形等が印刷された１枚以上の用紙に、パンチ孔の形成またはステープル加工等の後処理がなされる。
【００７５】
上記のような基本構成を有する端末装置１００の機能的な構成について、機能ブロック図を参照しながら説明する。
【００７６】
図４は、実施の形態における端末装置１００の機能的な構成を示す機能ブロック図である。
【００７７】
図４に示すように、端末装置１００は、基本的な機能構成として、印刷データ取得部１１０、後処理特定部１２０、画像表示部１３０、判断部１４０、および、報知部１５０を備える。
【００７８】
本実施の形態では、端末装置１００はさらに、テーブル記憶部１６０、ラスタライズ処理部１７０、通信部１８０、および、指示受付部１９０を備える。
【００７９】
印刷データ取得部１１０は、例えば、アプリケーションソフトウェア１０１により生成された印刷データを取得する。または、ＬＡＮ６を介して送信される印刷データを受信することで、当該印刷データを取得する。
【００８０】
後処理特定部１２０は、例えば、複数種類の後処理の中からユーザにより選択された後処理を特定する。
【００８１】
画像表示部１３０は、印刷データを用いて印刷され、かつ、特定された後処理が施されたとした場合の用紙を示す画像（プレビュー画像）を表示する。
【００８２】
判断部１４０は、印刷に用いられる用紙における印刷領域と、当該用紙における処理対応領域とに重複が生じるか否かを判断する。
【００８３】
なお、印刷領域とは、印刷データ取得部１１０により取得された印刷データを用いて印刷される部分によって形成される、当該用紙の紙面における一部の領域である。より詳細には、印刷領域は、複合機１において当該印刷データに応じて印刷された場合に、トナーまたはインク等の着色材が付着する部分によって形成される、当該用紙の紙面における一部の領域である。換言すれば、印刷領域は、着色剤の付着部分と、この付着部分の近傍領域である。例えば、数字の“０”であれば、空白部分を囲むように印刷領域が存在することになる。
【００８４】
また、処理対応領域とは、後処理特定部１２０により特定された後処理に対応する領域であり、パンチ孔等の処理結果そのものの領域とその周囲の領域とから構成される領域である。処理対応領域の例については、図６Ａおよび図６Ｂを用いて後述する。
【００８５】
報知部１５０は、判断部１４０により重複が生じると判断された場合に、重複が生じる旨を示す情報である警告を報知する。
【００８６】
具体的には、報知部１５０は、印刷領域と処理対応領域との位置関係に応じて、互いに内容の異なる複数の警告のうちのいずれかの警告を報知する。なお、本実施の形態では、報知部１５０は、印刷領域と処理対応領域との位置関係、および、特定された後処理の種類に応じて、互いに内容の異なる複数の警告のうちのいずれかの警告を報知することができる。
【００８７】
また、本実施の形態では、テーブル記憶部１６０に判定テーブルが記憶されおり、報知部１５０は、テーブル記憶部１６０に記憶されている判定テーブルを参照することで、当該特定された後処理に対応する警告を特定し、特定した警告を報知する。判定テーブルの内容については、図５を用いて後述する。
【００８８】
ラスタライズ処理部１７０は、印刷データ取得部１１０により取得された印刷データをラスタライズすることによって、複合機１が当該印刷データを用いて生成するラスタライズデータと同等のラスタライズデータを生成する。
【００８９】
通信部１８０は、印刷データ取得部１１０により取得された印刷データを複合機１に送信する。
【００９０】
指示受付部１９０は、印刷データを用いた印刷の実行の指示、印刷の中止の指示、および、後処理特定部１２０に特定させる後処理の指示のうちの少なくとも一つの指示を受け付ける。本実施の形態では、指示受付部１９０は、これら全ての種類の指示を受け付けることができる。
【００９１】
なお、印刷データ取得部１１０、後処理特定部１２０、判断部１４０のそれぞれの処理は、例えば、端末装置１００が有するソフトウェアおよびＣＰＵ（図示せず）によって実現される。
【００９２】
また、画像表示部１３０によるプレビュー画像表示機能、および、報知部１５０による警告の報知機能は、例えば、ＣＰＵの制御によって画像を表示する表示装置１０６（図３参照）によって実現される。
【００９３】
また、テーブル記憶部１６０は、端末装置１００が有するＨＤＤ（図示せず）によって実現され、ラスタライズ処理部１７０によるラスタライズデータの生成は、例えば、ＲＩＰ１０３（図３参照）によって実現される。
【００９４】
また、通信部１８０による情報の送信機能は、例えばポート１０８によって実現され、指示受付部１９０による指示の受付機能は、例えば、端末装置１００が有する入力インタフェース（図示せず）によって実現される。
【００９５】
以上のように構成された、端末装置１００による処理内容を、図５〜図８を参照しながら説明する。
【００９６】
図５は、テーブル記憶部１６０に記憶されている判定テーブル１６２のデータ構成例を示す図である。
【００９７】
図６Ａは、処理対応領域における処理領域および周辺領域の第一の例を示す図であり、図６Ｂは、処理対応領域における処理領域および周辺領域の第二の例を示す図である。
【００９８】
図７は、図５に示す判定テーブル１６２に示される各レベルに応じた判読可能性および警告例を示す図である。
【００９９】
図５に示すように、本実施の形態における判定テーブル１６２は、後処理の種類と、当該後処理と重複が生じる領域ごとの警告のレベル（言い換えると、当該後処理が印刷領域に与える影響のレベル）とが対応づけられたテーブルである。
【０１００】
なお、Ｌ−１が最も警告のレベルが高く、Ｌ−２、Ｌ−３の順に警告のレベルは低くなる。
【０１０１】
なお、“パンチ”は、パンチ孔が形成される後処理を示し、“ステープル”は、ステープル加工（ステープルによる複数の用紙の綴じ加工）である後処理を示す。
【０１０２】
また、“ミシン綴じ”は、複数の用紙を糸により綴じる後処理を示し、“糊綴じ”は、複数の用紙の端辺を糊により接着することで複数の用紙を綴じる後処理を示す。
【０１０３】
また、“裁ち切り”は、例えば用紙の綴じ位置とは反対側の部分が切り落とされる後処理を示し、“スタンプ”は、用紙に機械的にスタンプが押される、または、ソフトウェアにより用紙にスタンプ画像が印刷される後処理を示す。
【０１０４】
端末装置１００では、例えば図５に示す判定テーブル１６２に示される複数種類の後処理が、画像表示部１３０に表示され、ユーザによって、いずれかの後処理が選択される。選択された後処理は、後処理特定部１２０によって特定される。
【０１０５】
ここで、例えば、後処理“パンチ”に対応する処理対応領域について説明する。用紙にパンチ孔が形成される場合、図６Ａに示すように、パンチ孔を含む綴じ代の領域が、処理対応領域３００と規定される。
【０１０６】
また、処理対応領域３００の中で、後処理が施される部分と当該部分の近傍の領域である処理領域３０１が規定される。
【０１０７】
例えば、パンチ孔の直径が６ｍｍである場合、パンチ孔が事後的に広がること等を考慮し、パンチ孔の周縁から１．５ｍｍマージンをとって、パンチ孔を中心とする９ｍｍの円形領域が、処理領域３０１として規定される。
【０１０８】
また、処理対応領域３００のうちの、処理領域３０１以外の領域が、周辺領域３０２として規定される。
【０１０９】
また、例えば、後処理“ステープル”に対応する処理対応領域について説明する。用紙をステープルで綴じる場合、図６Ｂに示すように、ステープルを含む綴じ代の領域が、処理対応領域３００と規定される。
【０１１０】
また、処理対応領域３００の中で、後処理（ステープルによる綴じ）が施される部分と当該部分の近傍の領域である処理領域３０１が規定される。
【０１１１】
例えば、ステープルにより開けられる孔が事後的に広がること等を考慮し、ステープルの存在範囲を含む矩形領域が、処理領域３０１として規定される。
【０１１２】
なお、図６Ｂでは、用紙の隅がステープルで閉じられる場合が図示されているが、これは、ステープルの綴じ位置の一例である。例えば、２以上のステープルが用紙の４辺のうちのいずれかの辺に沿って配置される態様で複数の用紙が綴じられてもよい。
【０１１３】
また、後処理として“パンチ”が選択された場合を想定する。この場合において、処理領域３０１と印刷領域とが重複する場合、当該重複位置における印刷内容が欠落することになる。この場合、当該印刷内容は、判読が不可能または極めて困難である。
【０１１４】
そのため、判定テーブル１６２では、“パンチ”かつ“処理領域”は“Ｌ−１”と規定されている。
【０１１５】
なお、具体的には、判断部１４０によって、印刷領域と処理領域３０１および周辺領域３０２のどちらとの間に重複が生じるかが判断される。
【０１１６】
この場合、報知部１５０は、判定テーブル１６２を参照することで、“Ｌ−１”を特定する。その結果、報知部１５０は、“Ｌ−１”に対応する警告として例えば、図７に示すように“Ｎページの印刷内容にパンチ孔があくおそれがあります。”という内容の警告を報知する。
【０１１７】
なお、報知部１５０は、例えば、各警告レベルに対応する警告の基本内容を記憶しており、判定テーブル１６２を参照することで特定される警告レベルと、該当する用紙のページ番号等から、上記のような警告の内容を生成することができる。また、各警告レベルに対応する警告の基本内容は、判定テーブル１６２とともにテーブル記憶部１６０に記憶されていてもよい。
【０１１８】
また、報知部１５０による警告の報知は、例えば、当該警告を表す文字列を画像表示部１３０に表示させることで行われる。
【０１１９】
また、処理対応領域３００と印刷領域との間に生じる重複が、処理領域３０１ではなく、周辺領域３０２である場合は、例えば、当該印刷面が表紙であるか否かで、警告のレベルは異なる。
【０１２０】
例えば、図６Ａにおける周辺領域３０２に、文字が印刷された場合、当該印刷面が表紙であれば、当該文字は比較的簡単に判読される。そのため、判定テーブル１６２では、“パンチ”かつ“周辺領域（表紙）”は“Ｌ−３”と規定されている。
【０１２１】
なお、具体的には、判断部１４０が、印刷データに示されるページ番号等を用いて、当該印刷面が、当該印刷面を有する用紙が含まれる予定の冊子における表表紙または裏表紙となるか否かを判断することができる。
【０１２２】
この場合、報知部１５０は、判定テーブル１６２を参照することで、“Ｌ−３”を特定する。その結果、報知部１５０は、“Ｌ−３”に対応する警告として例えば、図７に示すように“Ｎページの綴じ代に印刷内容がかかっていますが、判読にほぼ支障はありません。”という内容の警告を報知する。
【０１２３】
しかし、当該印刷面が表紙でない場合、つまり、内ページである場合、冊子が完成した後（つまり、パンチ孔を利用して紐または金属部材で当該用紙が綴じられた後）では、そのままの状態では、当該文字の判読が容易ではない場合も考えられる。
【０１２４】
そのため、判定テーブル１６２では、“パンチ”かつ“周辺領域（内ページ）”は“Ｌ−２”と規定されている。
【０１２５】
この場合、報知部１５０は、判定テーブル１６２を参照することで、“Ｌ−２”を特定する。その結果、報知部１５０は、“Ｌ−２”に対応する警告として例えば、図７に示すように“Ｎページの綴じ代に印刷内容がかかっていますが、綴じ紐をほどけば判読は可能です。”という内容の警告を報知する。
【０１２６】
判定テーブル１６２には、このような判断基準に基づいて決定された、後処理の種類と、当該後処理と重複が生じる領域ごとの警告のレベルとの対応付けが記録されている。
【０１２７】
また、報知部１５０は、判断部１４０による判断結果と、テーブル記憶部１６０に記憶されている判定テーブル１６２とから、後処理特定部１２０に特定された後処理、つまり、ユーザに選択された後処理の種類に対応する警告を特定し報知することができる。
【０１２８】
なお、報知部１５０は、印刷領域と処理対応領域３００との位置関係のみに応じて報知すべき警告を特定してもよい。例えば、印刷領域と処理領域３０１との間に重複が生じる場合、後処理の種類に関係なく、判読が不可能または極めて困難である旨の警告を報知してもよい。
【０１２９】
図８は、実施の形態における端末装置１００による警告の報知に係る処理の流れの一例を示すフロー図である。
【０１３０】
端末装置１００の印刷データ取得部１１０によって印刷データが取得され、かつ、後処理特定部１２０によって後処理が特定された後に、画像表示部１３０によって、当該印刷データと当該後処理とが反映されたプレビュー画像が表示される（Ｓ１０）。
【０１３１】
その後、Ｓ２０以降の各種の処理が全ページについて繰り返される。具体的には、判断対象の用紙について、判断部１４０は、印刷領域と処理領域３０１とが重複するか否かを判断する（Ｓ２０）。
【０１３２】
印刷領域と処理領域３０１とが重複すると判断された場合（Ｓ２０でＹｅｓ）、“処理領域”（図５参照）に対応する警告を示す警告情報（当該警告のレベルまたは当該警告の内容など、以下同じ）が、所定の記録媒体（図示せず）に記録される（Ｓ２１）。
【０１３３】
その後、判断部１４０は、印刷領域と周辺領域３０２とが重複するか否かを判断する（Ｓ２２）。
【０１３４】
印刷領域と周辺領域３０２とが重複すると判断された場合（Ｓ２２でＹｅｓ）、判断部１４０はさらに、当該印刷面が、表紙であるか否かを判断する（Ｓ２３）。
【０１３５】
当該印刷面が、表紙であると判断された場合（Ｓ２３でＹｅｓ）、“周辺領域（表紙）”（図５参照）に対応する警告を示す警告情報が、所定の記録媒体に記録される（Ｓ２４）。
【０１３６】
また、当該印刷面が、表紙ではないと判断された場合（Ｓ２３でＮｏ）、“周辺領域（内ページ）”（図５参照）に対応する警告を示す警告情報が、所定の記録媒体に記録される（Ｓ２５）。
【０１３７】
以上の処理が全ページについて繰り返された後、報知部１５０は、所定の記録媒体に記録された警告情報があるか否かを確認する（Ｓ３０）。
【０１３８】
確認の結果、所定の記録媒体に１以上の警告情報が存在する場合（Ｓ３０でＹｅｓ）、報知部１５０は、当該１以上の警告情報に対応する１以上の警告を報知する（Ｓ３１）。
【０１３９】
当該１以上の警告を確認したユーザが、端末装置１００に、例えば、印刷の実行または中止の指示を行った場合、当該指示は、指示受付部１９０によって受け付けられる（Ｓ３２）。
【０１４０】
端末装置１００は、当該指示に示される処理内容（印刷の実行または中止）を複合機１に通知し、複合機１は、当該通知内容に従って、印刷を実行または中止する。
【０１４１】
また、当該１以上の警告を確認したユーザが、端末装置１００に、例えば、綴じ幅または縮小率等の再設定の指示を行った場合、当該指示は、指示受付部１９０によって受け付けられる（Ｓ３３）。
【０１４２】
端末装置１００は、当該指示に示される処理内容（綴じ幅または縮小率の再設定等）を実行する。その後、端末装置１００による処理は、画像表示部１３０による、再設定後の綴じ幅等に応じたプレビュー画像の表示（Ｓ１０）に移行し、Ｓ２０以降の処理が繰り返される。
【０１４３】
なお、報知部１５０による、警告情報の存否確認（Ｓ３０）の結果、所定の記録媒体に警告情報が存在しない場合（Ｓ３０でＮｏ）、ユーザによる、端末装置１００に対する印刷の実行または中止の指示が、指示受付部１９０によって受け付けられる（Ｓ３４）。
【０１４４】
端末装置１００は、当該指示に示される処理内容（印刷の実行または中止）を複合機１に通知し、複合機１は、当該通知内容に従って、印刷を実行または中止する。
【０１４５】
また、上記のように印刷の実行等が指示された後に、画像表示部１３０によるプレビュー画像の表示は終了する（Ｓ４０）。
【０１４６】
なお、印刷領域が、処理領域３０１および周辺領域３０２の双方と重複する場合、２つの警告レベルが特定されることになるが、この場合は、例えば、レベルが高い一方の警告レベルに対応する警告情報のみが所定の記録媒体に記録されてもよい。また、例えば、２つの警告レベルそれぞれに対応する警告情報を記録媒体に記録することで、それぞれの警告情報に応じた警告が報知されてもよい。
【０１４７】
このように、本実施の形態における端末装置１００は、印刷領域と処理対応領域３００とが重複する場合、例えば、後処理の種類が何であるかに応じた適切な内容の警告を報知することができる。
【０１４８】
また、端末装置１００は、印刷領域と処理対応領域３００とが重複する場合、例えば、印刷領域と処理対応領域３００との位置関係に応じた内容の警告を報知することができる。その結果、例えば、後処理が印刷内容の判読性に与える影響の大きさに応じた適切な内容の警告が報知される。
【０１４９】
このように、本実施の形態における端末装置１００によれば、後処理の種類等に応じて、適切な警告が選択的に報知される。その結果、例えば、本来的にはそのまま印刷処理を実行しても問題がない場合に、印刷の設定がやり直されるなどの非効率的な処理の発生が抑制される。
【０１５０】
従って、本実施の形態における端末装置１００は、印刷と後処理とを含む印刷処理を効率よく実行させることができる。
【０１５１】
以上、本発明の一態様に係る画像表示装置について、実施の形態に基づいて説明した。しかしながら、本発明は、これらの実施の形態に限定されるものではない。本発明の趣旨を逸脱しない限り、当業者が思いつく各種変形を本実施の形態に施したものも、あるいは、上記説明された複数の構成要素を組み合わせて構築される形態も、本発明の範囲内に含まれる。
【０１５２】
例えば、本実施の形態における警告の報知に係る機能を、複合機１が備えてもよい。
【０１５３】
図９は、本実施の形態における警告の報知に係る機能を備える複合機１の機能的な構成を示す機能ブロック図である。
【０１５４】
図９に示すように、複合機１が、機能的な構成として、例えば、印刷データ取得部１１０、後処理特定部１２０、画像表示部１３０、判断部１４０、報知部１５０、および、印刷部１９５を備えてもよい。
【０１５５】
この場合、印刷データ取得部１１０、後処理特定部１２０、および判断部１４０のそれぞれの機能は、例えば、ＲＯＭ１１に格納されたソフトウェアとＣＰＵ１０（図２参照）とによって実現される。
【０１５６】
また、画像表示部１３０によるプレビュー画像表示機能、および、報知部１５０による警告の報知機能は、例えば、ＣＰＵ１０による制御の下で動作するディスプレイ１６（図２参照）によって実現される。
【０１５７】
また、印刷部１９５は、印刷データ取得部１１０により取得された印刷データを用いて用紙に印刷する構成要素であり、例えば、プリンタ１８（図２参照）によって実現される。
【０１５８】
つまり、複合機１は、本実施の形態における警告の報知機能を備える画像表示装置であって、さらに印刷機能を備える画像表示装置として実現されてもよい。
【０１５９】
また、例えば、報知部１５０による警告の報知は、当該警告を表す文字列を画像表示部１３０に表示させることで行われるのではなく、他の手法で実現されてもよい。例えば、音声もしくは光の点滅または点灯によって警告が報知されてもよい。
【０１６０】
また、図５に記載した判定テーブル１６２に示される、後処理と警告レベルとの対応付けは一例である。つまり、端末装置１００において選択される後処理の種類は、図５に示す判定テーブル１６２に記載された種類に限定されず、他の種類の後処理が選択されてもよい。また、後処理と警告レベルとの対応関係が、判定テーブル１６２に示される対応関係以外であってもよい。
【産業上の利用可能性】
【０１６１】
本発明は、印刷と後処理とを含む印刷処理が施されたとした場合の用紙を示す画像を表示する画像表示装置であって、当該印刷処理を効率よく実行させることのできる画像表示装置を提供することができる。従って、本発明は、特に、印刷を実行する複合機、および、当該複合機に印刷データを送信する端末装置等として有用である。
【符号の説明】
【０１６２】
１、２  複合機
５  ＰＳＴＮ
６  ＬＡＮ
１０  ＣＰＵ
１１  ＲＯＭ
１２  ＲＡＭ
１３  モデム
１４  ＮＣＵ
１５  操作パネル
１６  ディスプレイ
１７  スキャナ
１８  プリンタ
１９  ＬＡＮ  Ｉ／Ｆ
２０  ＨＤＤ
２１  制御プログラム
２２  ポート
２３  プリンタコントローラ
５０  フィニッシャー
１００、２００  端末装置
１０１  アプリケーションソフトウェア
１０２  プリンタドライバ
１０５  ドライバコア
１０６  表示装置
１０７  スプーラ
１０８  ポート
１１０  印刷データ取得部
１２０  後処理特定部
１３０  画像表示部
１４０  判断部
１５０  報知部
１６０  テーブル記憶部
１６２  判定テーブル
１７０  ラスタライズ処理部
１８０  通信部
１９０  指示受付部
１９５  印刷部
３００  処理対応領域
３０１  処理領域
３０２  周辺領域
【図１】
2013057830.tif 000003
【図２】
2013057830.tif 000004
【図３】
2013057830.tif 000005
【図４】
2013057830.tif 000006
【図５】
2013057830.tif 000007
【図６Ａ】
2013057830.tif 000008
【図６Ｂ】
2013057830.tif 000009
【図７】
2013057830.tif 000010
【図８】
2013057830.tif 000011
【図９】
2013057830.tif 000012